(57)【要約】【課題】商品の収納や集積輸送用のための集積輸送包装カートンを兼ね、アイキャッチ性が優れ、展示効果に優れるディプレイカートンを提供するものである。【解決手段】前面板、左右両側面板、背面板、および底面板からなり、前面板、左右両側面板、背面板に亘って連続する切離部を備え、該切離部を切り離すことにより上下に分離可能なディスプレイカートンであって、前面板、左右両側面板、背面板のうちのいずれか１乃至複数の面板の前記切離部の下側に、該面板より前方に飛び出し可能な表示板が、その表示板の片側に備えた二枚の縦状折板を介して設けられていることを特徴とするディスプレイカートンである。【選択図】図２
2014000986.tif 000002
【特許請求の範囲】
【請求項１】
前面板、左右両側面板、背面板、および底面板からなり、前面板、左右両側面板、背面板に亘って連続する切離部を備え、該切離部を切り離すことにより上下に分離可能なディスプレイカートンであって、
前面板、左右両側面板、背面板のうちのいずれか１乃至複数の面板の前記切離部の下側に、該面板より前方に飛び出し可能な表示板が、その表示板の片側に備えた二枚の縦状折板を介して設けられていることを特徴とするディスプレイカートン。
【発明の詳細な説明】
【技術分野】
【０００１】
本発明は、スナック菓子などの食品類、化粧品類、雑貨類などの個装商品を収納するカートンで、店頭展示にて販促効果を高めるディスプレイカートンに関するものである。特にカートンの面板より前方に飛び出し可能にした表示板を備えたディスプレイカートンに関するものである。
【背景技術】
【０００２】
従来、コンビニエンスストア、ドラッグストアなどでは、スナック菓子などの食品類、化粧品類、雑貨類などの個装商品をカートンに収納したまま店頭に展示され販売されている。これらのカートンは、商品の収納や集積輸送用のための集積輸送包装箱としての用途以外に、店頭にて展示するために、ディスプレイ用としても利用できるようにしたディスプレイカートンが用いられている。
【０００３】
このようなディスプレイカートンには、商品に関する情報や広告情報を、消費者に見やすいように表示されているのが一般的で、特に消費者の目に留まり易くするために、印刷デザインによる効果に加え、消費者の目に留まり易くした構造、また商品を手に取り易くした構造にする工夫がなされている。
【０００４】
しかしながら、このようなディスプレイカートンは、集積包装を兼ねているために、ディスプレイ専用に作成されたカートンに比べ、消費者に対するアイキャッチとしての展示効果に欠けており、商品に関する諸情報や広告情報を消費者に伝達するためのインパクトに欠けていた。
【０００５】
これらの背景技術から鑑みて、個装した商品を収納したカートンで、ディスプレイ効果を向上させたものが提案されている（特許文献１）。カートンの前面板の下部から左右両側面板の上辺に掛けて切離線を設けたカートンで、凸状の切込みを有する蓋片を開けて、蓋片を折り返し、前面板、左右両側面板の切離線の上側を切取り、折り返した蓋片を表示部にし、凸状表示部を設けたものである。表示面積の範囲を広げたものである。
【０００６】
またカートンの蓋片に凸状の切込み線を二箇所別々の部位に設けて、蓋片を折り返し、背面板の上部に第一凸状表示部、第二凸状表示部を設けた提案がある（特許文献２）。さらに人目につくように表示面積を増やしたものである。
【０００７】
これらの提案では、商品が収納されたカートンの背面板上部に凸状の表示部を備え、表示面積を増やしたものである。しかし、消費者に対するアイキャッチとしての展示効果に欠けており、商品に関する諸情報や広告情報を消費者に伝達するためのインパクトに欠けていた。
【０００８】
さらに、消費者に対するアイキャッチとしての展示効果を向上させた提案がある（特許文献３）。これは、前面板、左右両側面板、背面板、底面板からなり、前面板、左右両側面板、背面板に亘って連続する切離部を備え、切離部を切離すことにより上下に分離可能な矩形状カートンであって、前面板、左右両側面板、背面板のうちのいずれか１乃至複数の面板の切離部の下側に、面板より前方に飛び出し可能な表示板を設けたカートンである。
【０００９】
従来のものと比べてアイキャッチ性に優れている。しかし、表示板の両側の水平折板および下側の水平折板は、表示板を引き出すことによって、それぞれの水平折板が下側を向
くため、人目に触れることもなく、単にカートン本体と表示板とを連結するだけで、表示部としての役割がなく、表示領域を広く活用することができない問題があった。
【００１０】
商品の収納や集積輸送用のための集積輸送包装カートンを兼ね、アイキャッチ性が優れ、展示効果に優れるディプレイカートンが望まれている。
【先行技術文献】
【特許文献】
【００１１】
【特許文献１】実開昭６２−２５６２０号公報
【特許文献２】実開平０４−５３６１６号公報
【特許文献３】特開２０００−７２１３３号公報
【発明の概要】
【発明が解決しようとする課題】
【００１２】
商品の収納や集積輸送用のための集積輸送包装カートンを兼ね、アイキャッチ性が優れ、展示効果に優れるディプレイカートンを提供するものである。
【課題を解決するための手段】
【００１３】
上記の課題を解決するために、発明者らは鋭意検討を行い、本発明を完成した。
【００１４】
本発明の請求項１に係る発明は、前面板、左右両側面板、背面板、および底面板からなり、前面板、左右両側面板、背面板に亘って連続する切離部を備え、該切離部を切り離すことにより上下に分離可能なディスプレイカートンであって、
前面板、左右両側面板、背面板のうちのいずれか１乃至複数の面板の前記切離部の下側に、該面板より前方に飛び出し可能な表示板が、その表示板の片側に備えた二枚の縦状折板を介して設けられていることを特徴とするディスプレイカートンである。
【発明の効果】
【００１５】
本発明のディスプレイカートンは、カートンを構成する面板より前方に、立体的に表示板を飛び出させることにより、アイキャッチとしての展示効果を高めたものである。また表示体は、該表示板の片側に備えた二枚の縦状折板を介して保持され、かつ二枚の縦状折板が縦状に連接されているために、消費者がこの縦状折板を観ることができる。即ち二枚の縦状折板を商品情報や広告情報の表示領域とすることができる。
【００１６】
本発明の請求項１によれば、前面板、左右両側面板、背面板、および底面板からなり、前面板、左右両側面板、背面板に亘って連続する切離部を備え、該切離部を切り離すことにより上下に分離可能なカートンであり、前面板、左右両側面板、背面板のうちのいずれか１乃至複数の面板の前記切離部の下側に、該面板より前方に飛び出し可能な表示板が、その表示板の片側に備えた二枚の縦状折板を介して設けられているために、飛び出した表示板を形成することができる。アイキャッチとしての展示効果を高めることができる。また二枚の縦状折板が縦状に連接されているために、該縦状折板に表示された情報を観ることができる。表示領域を最大限に活用することができる。
【図面の簡単な説明】
【００１７】
【図１】本発明のディスプレイカートンのブランクの一例を示す説明図である。
【図２】図１に示したブランクを組み立てたディスプレイカートンの一例を示す説明図である。
【図３】図２に示したディスプレイカートンの切離部を破断した後のカートン下部の一例を示す説明図である。
【図４】図３に示したカートン下部の正面図である。
【図５】図３に示したカートン下部の左側面図である。
【図６】図３に示したカートン下部の右側面図である。
【発明を実施するための形態】
【００１８】
以下、本発明を実施するための形態につき説明する。
【００１９】
図１は、本発明のディスプレイカートンのブランクの一例を示す説明図である。表面のブランクを示している。縦状の折り曲げ線ａ、ｂ、ｃ、ｄを介して左側面板２、前面板１、右側面板３、背面板４、糊代片５がそれぞれ連接され、かつ横状の折り曲げ線ｅを介して、左側面板２、右側面板３の上部には、それぞれフラップ１１、１２が連接され、背面板４の上部には蓋片６が連接され、該蓋片６の上部には折り曲げ線ｇを介して差込み片１３が連接されている。
【００２０】
また左側面板２、前面板１、右側面板３、背面板４の下部には、折り曲げ線ｆを介して、それぞれ底面板７、８、９、１０が連接されている。また底面板７および底面板１０には、それぞれ斜め折り曲げ線ｊ、ｋを介して連結板７ａ、連結板１０ａが形成されている。
【００２１】
左側面板２、前面板１、右側面板３、背面板４には、それぞれ面板に亘って連続して切離部が形成されている。切離部は、二本の断続線からなり、上側に断続線Ａ、下側に断続線Ｂの一定間隔で形成されている。
【００２２】
前面板１には、中央部近傍の左側周縁の一点から、相対向する周縁の他点に延びる切離部が形成されている。切離部１４は、図１に示すように、左側周縁の始点から水平に延長し、中央部近傍から相対向する周縁の方向へ円弧状になり、該円弧状の終点から水平に相対向する周縁の他点まで延びている。
【００２３】
また切離部１４は、前面板１の左側周縁の始点から左側面板２を斜め上方に二分するように端部まで延びている。一方、前面板１の他点から右側面板３を斜め上方に二分するように周縁端部まで延びている。また切離部１４は、該周縁端部から背面板４を水平に二分するように延長されて、周縁端部まで延びている。即ち、切離部１４は、左側面板２、前面板１、右側面板３、背面板４に亘って連続して形成されている。図１に示すようなライン形状になる。
【００２４】
前面板１には、断続線Ｂの下側に形成された円弧状の区画領域が形成され、該区画領域を表示板４０とし、前面板より前方に飛び出す構造になっている。
【００２５】
また、表示板４０を前面板より前方へ引き出すために、ミシン目線（または切込み線）Ｃおよびミシン目線（または切込み線）Ｄが形成されている。
【００２６】
ミシン目線Ｄは、円弧の中心点から折り曲げ線ａの部位まで水平に形成されている。またミシン目線Ｃは、円弧状の終点から水平にミシン目線Ｄの中間部位まで形成されている。
【００２７】
表示板４０を前面板と連接するため、また第一縦状折板および第二縦状折板を形成するために、ミシン目線Ｄの中央部位に、断続線Ｂの部位からミシン目線Ｃの部位まで、縦状の折り曲げ線ｈを形成する。また円弧の中心点からミシン目線Ｃの部位まで縦状の折り曲げ線ｉを形成する。
【００２８】
表示板の左側には、左右が折り曲げ線ａ、折り曲げ線ｈ、上下が断続線Ｂ、ミシン目線
Ｄに囲まれた第一縦状折板２０が形成される。また左右が折り曲げ線ｈ、折り曲げ線ｉ、上下がミシン目線Ｄ、ミシン目線Ｃに囲まれた第二縦状折板３０が形成される。第一縦状折板２０および第二縦状折板３０は、表示板４０と前面板に連接され、表示板を保持する役目を持っている。
【００２９】
切離部１４は、二本の断続線、即ち上側に断続線Ａ、下側に断続線Ｂにより形成される。断続線は、直線破線状、あるいは屈曲破線状など適宜形状に設定できる。
【００３０】
図２は、図１に示したブランクを組み立てたディスプレイカートンの一例を示す説明図である。左側面板２の端部と糊代片５の重ね合わせ面を接着して、平坦に折り畳まれた状態の角筒体を形成し、底面板７，８，９，１０，および連結板７ａ、１０ａを接着し、互いに連結する。平坦に折り畳まれた状態の角筒体を立体に立ち起こすことにより、図２に示すようなディスプレイカートン６０を組み立てることができる。
【００３１】
カートン６０には、前面板１、左右両側面板２、３、背面板６に亘って切離部１４が形成されている。また前面板１の中央近傍には、表示板４０が、第一縦状折板２０と第二縦状折板３０を介して形成されている。カートン６０の上部開口部から個装された商品（図には示していない。）を収納し、フラップ１１，１２を内側に畳み、その上から蓋片６を被せ、差込み片１３をカートンの中へ差し込み閉蓋する。商品を収納したディスプレイカートン６０が形成される。
【００３２】
図３は、図２に示したディスプレイカートンの切離部を破断した後のカートン下部の一例を示す説明図である。カートンの外周にある切離部を、その端部を引っ張りながらカートンから切離し、切離部から上側のカートン上部を取り除くことにより、図３のようなカートン下部７０が形成される。カートン下部７０の中には商品（図には示していない。）が収納される。
【００３３】
前面板下部７１から表示板４０を前方へ引き出すために、ミシン目線Ｃおよびミシン目線Ｄを破断し、第一縦状折板を形成する折り曲げ線ｈを山折し、折り曲げ線ａを谷折して第一縦状折板２０を前方に縦状に飛び出させる。さらに第二縦状折板を形成する折り曲げ線ｉを山折し、折り曲げ線ｈを谷折して第二縦状折板３０を前方に縦状に飛び出させる。表示板４０を前面板下部７１より前方に飛び出させることができる。
【００３４】
カートン下部７０は、表示板４０を備えた前面板下部７１、左側面板下部７２、右側面板下部７３、背面板下部７４および底面板からなっている。表示板４０は、第一縦状折板２０および第二縦状折板３０を介して前面板下部７１と連接されている。第一縦状折板２０および第二縦状折板３０は縦状になっているために、消費者は、二枚の縦状折板を観ることができる。例えば、それぞれの縦状折板に商品情報や広告情報を表示すれば、消費者は観ることができる。
【００３５】
図４は、図３に示したカートン下部の正面図である。正面から視た状態の一例を示している。消費者は、表示板４０を備えた前面板下部７１および背面板下部７４の領域を観ることになり、表示された商品の情報や広告情報を視ることができる。
【００３６】
図５は、図３に示したカートン下部の左側面図である。左側面から視た状態の一例を示している。消費者は、表示板４０が前面板下部７１より前方へ飛び出している状態を視ることになる。アイキャッチとしての展示効果を備えている。また左側面板下部７２、第一縦状折板２０および第二縦状折板３０の外面に表示された商品の情報や広告情報を視ることができる。
【００３７】
図６は、図３に示したカートン下部の右側面図である。右側面から視た状態の一例を示している。消費者は、表示体４０が前面板下部７１より前方へ飛び出している状態を視ることになる。アイキャッチとしての展示効果を備えている。また右側面板下部７３、左側面板下部７２、第一縦状折板２０および第二縦状折板３０の内面に表示された商品の情報や広告情報を視ることができる。
【００３８】
表示板４０の形成位置は、切離部の刻設位置に対応して適宜設定すればよい。また表示板４０の外観形状は、その切離部の下側に円弧状、角形など挙げることができる。特に飛び出し易い形状であれば形状にこだわらない。また表示板は、図３に示すように表示板の左側に第一縦状折板および第二縦状折板に設けることにより、表示板の右側には、広い開口部が得られ、消費者が、商品を手に取り易くすることができる。
【００３９】
本発明においては、表示板と同様の構造の表示板を、前面板以外の他の面板、例えば、左右両側面板、背面板にも設けることができる。
【００４０】
本発明のディスプレイカートンは、アイキャッチとしての展示効果を有し、かつ限られた表示領域を無駄なく有効に活用したものである。店頭展示での販促効果を向上させたものである。
【００４１】
さらに本発明を実施するための形態につき説明する。
【００４２】
本発明に用いる紙としては、商品を保護するために、保形性、内容物保護性が必要である。例えば、コートボール、コートガード、コートマニラ、アイボリー、カップ原紙などの板紙が使用できる。また段ボールも使用できる。
【００４３】
また商品によって、紙に強度が要求される場合は、熱可塑性樹脂を紙の片面もしくは両面に積層することにより向上させることができる。熱可塑性樹脂としては、ポリエチレンなどのポリオレフィン系樹脂が好ましい。同時に耐水性、耐湿性、耐油性を向上させることができる。
【００４４】
また紙に印刷することにより、商品の諸情報や広告情報を表示できる。商品のデザイン効果を向上させることができる。表示板を保持する第一縦状折板および第二縦状折板にも印刷表示が可能であり、販促効果を促進させることができる。
【００４５】
印刷方式としては、一般的に用いられているグラビア印刷、オフセット印刷、フレキソ印刷、インクジェット印刷など公知の方法で可能である。
【００４６】
印刷された紙をシート状にカットして、ブランクを形成する。図１に示すようなブランクを形成する。予め設計したディスプレイカートンの形状を形成するために、折り曲げ線、ミシン目線、断続線および外形抜きの加工を行い、ブランクを形成する。折り曲げ線、ミシン目線、断続線、外形抜きなどは、金属刃を用いたトムソン抜型やロール刃を用いたロータリー抜きなどの公知方法で可能である。また切離部を形成する断続線は、ミシン目線、切れ線を部分的に含んだリード線や屈曲線などを使用することができる。
【００４７】
本発明のディスプレイカートンは、集積包装および輸送機能を持った包装輸送カートンとして使用できるとともに、カートンを構成する面板より外側に、立体的に表示板を飛び出させることにより、アイキャッチとしての優れた展示効果を備えている。商品に関する諸情報や広告情報を消費者にインパクトを持って伝達できる効果を有している。
【産業上の利用可能性】
【００４８】
本発明のディスプレイカートンは、個装された商品を収納することができる。例えば、スナック菓子などの食品類、化粧品類、おもちゃなどの雑貨類、接着剤などの産業資材類などを挙げることができる。
【符号の説明】
【００４９】
１  前面板
２  左側面板
３  右側面板
４  背面板
５  糊代片
６  蓋片
７  底面板
７ａ  連結板
８  底面板  
９  底面板
１０  底面板
１０ａ  連結板
１１  フラップ
１２  フラップ
１３  差込み片
１４  切離部
２０  第一縦状折板
３０  第二縦状折板
４０  表示板
５０  ブランク
６０  本発明のディスプレイカートン
７０  カートン下部
７１  前面板下部
７２  左側面板下部
７３  右側面板下部
７４  背面板下部
ａ  折り曲げ線
ｂ  折り曲げ線
ｃ  折り曲げ線
ｄ  折り曲げ線
ｅ  折り曲げ線
ｆ  折り曲げ線
ｇ  折り曲げ線
ｈ  折り曲げ線
ｉ  折り曲げ線
ｊ  斜め折り曲げ線
ｋ  斜め折り曲げ線
Ａ  断続線（上側）
Ｂ  断続線（下側）
Ｃ  ミシン目線
Ｄ  ミシン目線
【図１】
2014000986.tif 000003
【図２】
2014000986.tif 000004
【図３】
2014000986.tif 000005
【図４】
2014000986.tif 000006
【図５】
2014000986.tif 000007
【図６】
2014000986.tif 000008